(57)【要約】【課題】  静物撮影時の構図確認にユーザーが支障をきたすことなく、撮像素子の長時間駆動を抑制する手段を提供する。【解決手段】  電子カメラは、撮像素子と、状態検出部と、制御部とを備える。撮像素子は、被写体像を撮像して撮影画像のデータを生成する。状態検出部は、カメラの静止状態を検出する。制御部は、撮像素子によって動画撮影を行う撮影モードにおいて静止状態の継続時間が第１閾値の示す時間を超えたときに、撮像素子に対する電力供給を停止するとともに、電力供給の停止前に撮影された静止画を表示出力する第１省電力モードに移行する。【選択図】  図１
2008167029.tif 000002
【特許請求の範囲】
【請求項１】
被写体像を撮像して撮影画像のデータを生成する撮像素子と、
カメラの静止状態を検出する状態検出部と、
前記撮像素子によって動画撮影を行う撮影モードにおいて前記静止状態の継続時間が第１閾値の示す時間を超えたときに、前記撮像素子に対する電力供給を停止するとともに、前記電力供給の停止前に撮影された静止画を表示出力する第１省電力モードに移行する制御部と、
を備えることを特徴とする電子カメラ。
【請求項２】
請求項１に記載の電子カメラにおいて、
前記制御部は、前記第１省電力モードへの移行後において前記静止状態の継続時間が第２閾値の示す時間を超えたときに、前記静止画の表示出力を中断する第２省電力モードに移行することを特徴とする電子カメラ。
【請求項３】
請求項１または請求項２に記載の電子カメラにおいて、
前記状態検出部は、振動を検知する振動センサと、前記撮影画像を解析して前記電子カメラの動きを検出する画像処理部との少なくとも一方を含むことを特徴とする電子カメラ。
【請求項４】
請求項１に記載の電子カメラにおいて、
前記第１省電力モードでの動作時に外界の明るさを検知する測光部をさらに備え、
前記制御部は、前記測光部の出力に基づき被写体の変化を検知したときに、前記第１省電力モードから前記撮影モードに復帰することを特徴とする電子カメラ。
【請求項５】
請求項１または請求項２に記載の電子カメラにおいて、
ユーザーからの操作を受け付ける第１操作部をさらに備え、
前記制御部は、前記第１操作部に入力があったときに、前記第１省電力モードおよび前記第２省電力モードのいずれか一方から前記撮影モードに復帰することを特徴とする電子カメラ。
【請求項６】
請求項３に記載の電子カメラにおいて、
前記制御部は、前記振動センサが振動を検知したときに、前記第１省電力モードおよび前記第２省電力モードのいずれか一方から前記撮影モードに復帰することを特徴とする電子カメラ。
【請求項７】
請求項１に記載の電子カメラにおいて、
前記第１閾値を変更する操作をユーザーから受け付ける第２操作部をさらに備えることを特徴とする電子カメラ。
【請求項８】
請求項７に記載の電子カメラにおいて、
前記制御部は、前記第１省電力モードへの移行後における前記静止状態の継続時間が第２閾値の示す時間を超えたときに、前記撮影画像の表示出力を中断する第２省電力モードを有し、
前記第２操作部は、前記第２閾値を変更する操作をユーザーからさらに受け付けることを特徴とする電子カメラ。
【請求項９】
請求項１に記載の電子カメラにおいて、
前記第１省電力モードのオンオフの切替操作をユーザーから受け付ける第３操作部をさらに備えることを特徴とする電子カメラ。
【請求項１０】
請求項１に記載の電子カメラにおいて、
カメラが三脚で支持された状態か否かを判定する支持状態判定部をさらに備え、
前記制御部は、前記三脚で支持された状態であると前記支持状態判定部が判定したときに、前記第１省電力モードをオンに設定することを特徴とする電子カメラ。
【発明の詳細な説明】
【技術分野】
【０００１】
本発明は  動画撮影機能を備えた電子カメラに関する。
【背景技術】
【０００２】
従来から、撮影待機時において被写体の状態をモニタに動画表示してユーザーに提示する電子カメラが一般的に知られている。また、電子カメラなどの電子機器には、無操作状態が一定時間継続したときに最小限の機能のみを動作させて電池の消耗を抑える省電力モードを有するものが多い。例えば、特許文献１に省電力モードを備えた電子カメラの一例が開示されている。
【特許文献１】特開２００４−１２０２０４号公報
【発明の開示】
【発明が解決しようとする課題】
【０００３】
ところで、上記の電子カメラを三脚に固定して静物の撮影を行う状況において、構図決定の作業中に電子カメラが省電力モードに移行するとモニタの画像表示が停止して、ユーザーが構図の確認に支障をきたす場合がある。一方、撮像素子の温度上昇に伴う悪影響や電池の消耗などを抑制するためには、できるだけ撮像素子の長時間駆動を避けることが好ましい。
【０００４】
本発明は、上記従来技術の課題を解決するものである。本発明の目的は、静物撮影時の構図確認にユーザーが支障をきたすことなく、撮像素子の長時間駆動を抑制する手段を提供することにある。
【課題を解決するための手段】
【０００５】
第１の発明に係る電子カメラは、撮像素子と、状態検出部と、制御部とを備える。撮像素子は、被写体像を撮像して撮影画像のデータを生成する。状態検出部は、カメラの静止状態を検出する。制御部は、撮像素子によって動画撮影を行う撮影モードにおいて静止状態の継続時間が第１閾値の示す時間を超えたときに、撮像素子に対する電力供給を停止するとともに、電力供給の停止前に撮影された静止画を表示出力する第１省電力モードに移行する。
【０００６】
第２の発明は、第１の発明において、制御部は、第１省電力モードへの移行後において静止状態の継続時間が第２閾値の示す時間を超えたときに、静止画の表示出力を中断する第２省電力モードに移行する。
第３の発明は、第１または第２の発明において、状態検出部は、振動を検知する振動センサと、撮影画像を解析して電子カメラの動きを検出する画像処理部との少なくとも一方を含む。
【０００７】
第４の発明は、第１の発明において、第１省電力モードでの動作時に外界の明るさを検知する測光部を電子カメラがさらに備える。また、制御部は、測光部の出力に基づき被写体の変化を検知したときに、第１省電力モードから撮影モードに復帰する。
第５の発明は、第１または第２の発明において、ユーザーからの操作を受け付ける第１操作部を電子カメラがさらに備える。また、制御部は、第１操作部に入力があったときに、第１省電力モードおよび第２省電力モードのいずれか一方から撮影モードに復帰する。
【０００８】
第６の発明は、第３の発明において、制御部は、振動センサが振動を検知したときに、第１省電力モードおよび第２省電力モードのいずれか一方から撮影モードに復帰する。
第７の発明は、第１の発明において、第１閾値を変更する操作をユーザーから受け付ける第２操作部を電子カメラがさらに備える。
第８の発明は、第７の発明において、制御部は、第１省電力モードへの移行後における静止状態の継続時間が第２閾値の示す時間を超えたときに、撮影画像の表示出力を中断する第２省電力モードを有する。また、第２操作部は、第２閾値を変更する操作をユーザーからさらに受け付ける。
【０００９】
第９の発明は、第１の発明において、第１省電力モードのオンオフの切替操作をユーザーから受け付ける第３操作部を電子カメラがさらに備える。
第１０の発明は、第１の発明において、カメラが三脚で支持された状態か否かを判定する支持状態判定部を電子カメラがさらに備える。また、制御部は、三脚で支持された状態であると支持状態判定部が判定したときに、第１省電力モードをオンに設定する。
【発明の効果】
【００１０】
本発明の電子カメラにおける第１省電力モードでは、静物撮影時の構図確認にユーザーが支障をきたすことなく、撮像素子の長時間駆動が抑制される。
【発明を実施するための最良の形態】
【００１１】
（第１実施形態の説明）
図１は、第１実施形態の電子カメラの構成を説明するブロック図である。第１実施形態では、一眼レフレックス型の電子カメラの例を説明する。なお、第１実施形態の電子カメラは、電子画像によって被写体のフレーミングを行う動画表示モードを有している。
電子カメラは、カメラ本体１１と、レンズユニット１２とを有している。レンズユニット１２には、撮影光学系１３や絞り（不図示）が収容されている。このレンズユニット１２は、マウント（不図示）を介してカメラ本体１１に交換可能に装着される。なお、簡単のため、図１のレンズユニット１２では撮影光学系１３を１枚のレンズで表す。
【００１２】
カメラ本体１１は、ミラーボックスユニット１４と、ＡＦセンサ１５およびＡＥセンサ１６と、撮像素子１７と、アナログ信号処理部１８と、タイミングジェネレータ（ＴＧ）１９と、デジタル信号処理部２０と、画像処理部２１と、メモリ２２と、記録Ｉ／Ｆ２３と、振動センサ２４と、ＣＰＵ２５と、モニタ駆動部２６およびモニタ２７と、ビデオ出力Ｉ／Ｆ２８と、操作部２９と、バス３０とを有している。ここで、デジタル信号処理部２０、画像処理部２１、メモリ２２、記録Ｉ／Ｆ２３、ＣＰＵ２５、モニタ駆動部２６およびビデオ出力Ｉ／Ｆ２８はバス３０を介してそれぞれ接続されている。また、ミラーボックスユニット１４、ＡＦセンサ１５、ＡＥセンサ１６、ＴＧ１９、振動センサ２４および操作部２９は、それぞれＣＰＵ２５と接続されている。
【００１３】
ミラーボックスユニット１４の内部には、回動可能に軸支されたメインミラー１４ａが配置されている。ミラーボックスユニット１４は、ＣＰＵ２５の指示によりメインミラー１４ａを駆動装置（不図示）で駆動させて観察状態と退避状態との切り替えを行う。観察状態におけるメインミラー１４ａは撮像素子１７の前方で傾斜配置されている。この観察状態では、撮影光学系１３を通過した光束がメインミラー１４ａによって上方に反射されてファインダ光学系（不図示）に導かれる。また、メインミラー１４ａの中央部はハーフミラーとなっている。そして、観察状態のメインミラー１４ａを透過した一部の光束は、サブミラーによってＡＦセンサ１５に導かれる（図１ではサブミラーの図示は省略する）。
【００１４】
一方、退避状態でのメインミラー１４ａは、上方に跳ね上げられて撮影光路から外れた位置にある。メインミラー１４ａが退避状態にあるときは、撮影光学系１３を通過した光束が撮像素子１７に導かれることとなる。なお、記録用画像（本画像）の撮影時や上記の動画表示モードでの動作時には、メインミラー１４ａは退避状態の位置にある。
ＡＦセンサ１５は、撮影画面内のＡＦエリアでの合焦状態を位相差検出方式で検出する。このＡＦセンサ１５は、セパレータレンズと、ラインセンサとを有している。上記のセパレータレンズは被写体からの光束を分割する。そして、上記のラインセンサは、分割された２像間のズレ量を検出する（ＡＦセンサ１５の詳細な構成の図示は省略する）。
【００１５】
ＡＥセンサ１６は、例えばファインダ光学系に含まれるペンタプリズム（不図示）の近傍に配置されている。このＡＥセンサ１６はファインダ光学系の光束に基づいて、被写体像の分割測光を実行する。そして、ＡＥセンサ１６は、各々の分割領域ごとの平均輝度値をＣＰＵ２５に出力する。
撮像素子１７は、撮影光学系１３を通過した光束を光電変換して被写体像のアナログ画像信号を生成する。ここで、撮像素子１７はレリーズ時に本画像を撮影する。また、動画表示モードにおいて、撮像素子１７は、撮影待機時（非レリーズ時）にも所定間隔毎に間引き読み出しでスルー画像を出力する。このとき、メインミラー１４ａは、ＣＰＵ２５の制御により退避状態となる。なお、上記のスルー画像のデータは、モニタ２７での画像表示などに使用される。
【００１６】
アナログ信号処理部１８は、撮像素子１７の出力に対してアナログ信号処理を施すアナログフロントエンド回路である。このアナログ処理部は、相関二重サンプリングや、画像信号のゲインの調整や、画像信号のＡ／Ｄ変換を行う。なお、アナログ信号処理部１８の出力はデジタル信号処理部２０に接続されている。
ＴＧ１９は、ＣＰＵ２５の指示に基づいて、撮像素子１７およびアナログ信号処理部１８に対してタイミングパルスを供給する。撮像素子１７およびアナログ信号処理部１８の駆動タイミングは、ＴＧ１９のタイミングパルスによって制御される。
【００１７】
デジタル信号処理部２０は、アナログ信号処理部１８から順次入力されるデジタル画像信号に対して、欠陥画素補正や黒レベルのオフセット補正などの信号処理を施す。なお、多チャンネル出力を行う撮像素子１７を用いる電子カメラでは、各チャンネルから出力された画像信号の並べ替えがデジタル信号処理部２０で行われる。
画像処理部２１は、１フレーム分のデジタル画像信号に対して、各種の画像処理（色補間処理、階調変換処理、輪郭強調処理、ホワイトバランス調整など）を施す。また、画像処理部２１は、ＣＰＵ２５の指示によりスルー画像のデータからモニタ２７の表示用画像（ビュー画像）を生成する。さらに、画像処理部２１は、本画像のデータをＪＰＥＧ形式で圧縮する処理や、圧縮された撮影画像データを伸長復元する処理も実行する。
【００１８】
また、動画表示モードでの画像処理部２１は、スルー画像の解析結果に基づいて電子カメラの動きを検出することもできる。例えば、画像処理部２１は、スルー画像の輝度、色差の状態を解析したマッピングデータを生成する。そして、画像処理部２１は、２つのマッピングデータを対比して輝度、色差に閾値以上の変化があるときには、各々のマッピングデータに対応するスルー画像間に変化があるものと判定する。このとき、画像処理部２１は、輝度、色差の変化が画像の一部のみであるときには被写体が動いているものと判定する。また、画像処理部２１は、輝度、色差の変化が画像の全体にあるときには電子カメラが動いているものと判定する。
【００１９】
メモリ２２は、各種画像処理の前工程や後工程で本画像のデータなどを一時的に記録するバッファメモリとして機能する。また、メモリ２２には、後述の第１省電力モードにおいて、ビュー画像のデータが記録される。
記録Ｉ／Ｆ２３には、記録媒体３１を接続するためのコネクタが形成されている。そして、記録Ｉ／Ｆ２３は、コネクタに接続された記録媒体３１に対してデータの書き込み／読み込みを実行する。上記の記録媒体３１は、ハードディスクや、半導体メモリを内蔵したメモリカードなどで構成される。なお、図１では記録媒体３１の一例としてメモリカードを図示する。
【００２０】
振動センサ２４は、電子カメラに対する振動を検知する。第１実施形態での振動センサ２４は、電子カメラの縦揺れを検出する縦方向角速度センサと、電子カメラの横揺れを検出する横方向角速度センサとを備えている。上記の各々の角速度センサには、例えば回転によるコリオリ力を検出する圧電振動式角速度センサなどが用いられる。
ＣＰＵ２５は、電子カメラの統括的な制御を行うプロセッサである。ＣＰＵ２５は所定のシーケンスプログラムに従って電子カメラの各部動作を制御するとともに、撮影時に必要となる各種演算（ＡＦ時のデフォーカス量の演算、ＡＥ演算など）を実行する。
【００２１】
また、ＣＰＵ２５は、振動センサ２４の出力に基づいて電子カメラの静止状態の判定および電子カメラの支持状態の判定（三脚で支持された状態か否かの判定）を実行する。さらに、ＣＰＵ２５は、電子カメラの静止状態の継続時間をそれぞれカウントする第１タイマおよび第２タイマとしても機能する。
また、ＣＰＵ２５は省電力モードへ移行したときの電力供給の制御を行う。特に、第１実施形態の電子カメラには、第１省電力モードおよび第２省電力モードが設定されている。第１省電力モードは動画表示モードに特有の省電力モードである。第１省電力モードでのＣＰＵ２５は、撮像素子１７、アナログ信号処理部１８、ＴＧ１９、デジタル信号処理部２０および画像処理部２１への電力供給を停止する。また、第１省電力モードでのＣＰＵ２５は、メモリ２２に記録されたビュー画像をモニタ２７へ継続的に表示させる。一方、第２省電力モードでのＣＰＵ２５は、再起動に必要となるＣＰＵ２５の一部機能と振動センサ２４とを除いて、電子カメラ全体の電力供給を停止する。
【００２２】
ここで、ＣＰＵ２５は、電子カメラの静止状態の継続時間に応じて第１省電力モードおよび第２省電力モードへの移行を制御する。なお、ＣＰＵ２５の第１タイマは第１省電力モードへの移行の判定に用いられる。また、ＣＰＵ２５の第２タイマは第２省電力モードへの移行の判定に用いられる。
モニタ駆動部２６は、ＣＰＵ２５の指示に基づいて駆動信号を出力することでモニタ２７の表示を制御する。また、モニタ２７は、例えば液晶モニタで構成されている。ここで、動画表示モードでのモニタ２７には、スルー画像に基づくビュー画像が動画表示される。また、モニタ２７には、ＧＵＩ(Graphical User Interface)形式で各種の設定項目の入力が可能なメニュー画面を表示できる。なお、モニタ２７のメニュー画面では、（１）動画表示モードのオンオフと、（２）第１省電力モードのオンオフと、（３）第１省電力モードへの移行時間（第１閾値）の設定と、（４）第２省電力モードへの移行時間（第２閾値）の変更とを、ＣＰＵ２５に対してユーザーが設定できる。
【００２３】
ビデオ出力Ｉ／Ｆ２８は、画像信号を外部に出力するための出力端子を有している。そして、ビデオ出力Ｉ／Ｆ２８は、外部の画像表示装置（不図示）に対して出力端子から画像信号を出力する。これにより、動画表示モードにおいて電子カメラを接続した外部の画像表示装置にビュー画像を表示させることもできる。
操作部２９は、操作釦とレリーズ釦とを有している。操作部２９の操作釦は、例えばコマンドダイヤル、十字状のカーソルキー、決定釦などで構成される。上記の操作釦は、電子カメラのモード切替操作や、メニュー画面上での入力操作などをユーザーから受け付ける。また、操作部２９のレリーズ釦は、半押し操作によるＡＦなどの指示入力と、全押し操作によるレリーズ指示（露光開始の指示）の入力とをユーザーから受け付ける。
【００２４】
次に、図２の流れ図を参照しつつ、第１実施形態の動画表示モードにおける電子カメラの動作を説明する。
ステップ１０１：ＣＰＵ２５はメインミラー１４ａを退避状態にするとともにスルー画像の撮影を開始する。撮像素子１７は所定間隔毎にスルー画像の画像信号を取得する。画像処理部２１はスルー画像のデータに基づいてビュー画像を逐次生成する。そして、モニタ２７にはビュー画像が動画表示される。したがって、電子カメラの動画表示モードにおいて、ユーザーはモニタ２７のビュー画像によって撮影構図を決定するためのフレーミングを行うことができる。
【００２５】
ステップ１０２：ＣＰＵ２５は第１省電力モードがオフに設定されているか否かを判定する。第１省電力モードがオフに設定されている場合（ＹＥＳ側）には、ＣＰＵ２５はＳ１０５に移行する。一方、第１省電力モードがオンに設定されている場合（ＮＯ側）には、ＣＰＵ２５はＳ１０３に移行する。
ステップ１０３：ＣＰＵ２５は電子カメラが三脚で支持された状態であるか否かを判定する。
【００２６】
一例として、ＣＰＵ２５は、振動センサ２４の出力に基づいて上記の判定を実行する。ここで、電子カメラの手ブレの周波数は、約０．１Ｈｚから約１０Ｈｚまでの帯域にかけて分布する。また、上記の手ブレのブレ角度のピークは、約７Ｈｚの周波数において約０．８ｄｅｇとなる。一方、電子カメラの三脚ブレの周波数は、約４Ｈｚから約３０Ｈｚまでと、約９０Ｈｚから約１００Ｈｚまでとの帯域にかけて分布する。また、上記の三脚ブレのブレ角度のピークは、約２０Ｈｚの周波数において約０．１５ｄｅｇとなる。したがって、手ブレの場合と三脚ブレの場合では振動センサ２４の出力は異なるものとなる。そのため、振動センサ２４の出力値が三脚ブレの周波数特性に合致する場合には、ＣＰＵ２５は電子カメラが三脚で支持された状態と判定することができる。
【００２７】
電子カメラが三脚で支持された状態の場合（ＹＥＳ側）には、ＣＰＵ２５はＳ１１３に移行する。一方、電子カメラが三脚以外で支持された状態の場合（ＮＯ側）には、ＣＰＵ２５はＳ１０４に移行する。
ステップ１０４：ＣＰＵ２５は、振動センサ２４の出力に基づいて、電子カメラの振動の大きさが閾値以上であるか否かを判定する。振動の大きさが閾値以上である場合（ＹＥＳ側）には、ＣＰＵ２５は電子カメラが動いていると判定してＳ１０５に移行する。なお、この場合にはＣＰＵ２５は第１タイマのカウントを終了させる。一方、振動の大きさが閾値未満である場合（ＮＯ側）には、ＣＰＵ２５は電子カメラが静止状態にあると判定してＳ１１３に移行する。
【００２８】
ステップ１０５：ＣＰＵ２５は電子カメラの電源オフ操作があったか否かを判定する。電源オフ操作があった場合（ＹＥＳ側）には、ＣＰＵ２５はＳ１０６に移行する。一方、電源オフ操作がない場合（ＮＯ側）には、ＣＰＵ２５はＳ１０７に移行する。
ステップ１０６：ＣＰＵ２５は動画表示モードの終了処理を行う。まず、ＣＰＵ２５はスルー画像の撮影およびモニタ２７の表示を停止する。そして、ＣＰＵ２５はメインミラー１４ａを観察状態の位置に戻してから電源をオフにする。これにより、電子カメラの動画表示モードでの動作が終了する。
【００２９】
ステップ１０７：ＣＰＵ２５はレリーズ釦が半押しされたか否かを判定する。レリーズ釦が半押しされた場合（ＹＥＳ側）には、ＣＰＵ２５はＳ１０８に移行する。一方、レリーズ釦が半押しされていない場合（ＮＯ側）には、ＣＰＵ２５はＳ１０２に戻って上記動作を繰り返す。
ステップ１０８：ＣＰＵ２５はメインミラー１４ａを退避状態の位置から観察状態の位置に一旦戻す。なお、この段階で、ＣＰＵ２５はスルー画像の撮影を一時的に停止する。
【００３０】
ステップ１０９：ＣＰＵ２５は、ＡＦセンサ１５の出力に基づいて撮影光学系１３のＡＦを実行する。また、ＣＰＵ２５はＡＥセンサ１６の出力に基づいて公知のＡＥ演算を実行する。なお、このＡＥ演算によって、本画像の撮影条件（露光時間、絞り値、撮像感度など）が決定される。
ステップ１１０：ＣＰＵ２５はレリーズ釦が全押しされたか否かを判定する。レリーズ釦が全押しされた場合（ＹＥＳ側）には、ＣＰＵ２５はＳ１１１に移行する。一方、レリーズ釦が全押しされていない場合（ＮＯ側）には、ＣＰＵ２５はＳ１１２に移行する。
【００３１】
ステップ１１１：ＣＰＵ２５は本画像の撮影処理を実行する。具体的には、ＣＰＵ２５は、メインミラー１４ａを退避状態の位置に移動させる。そして、ＣＰＵ２５は、撮像素子１７を駆動させて本画像を撮影する。その後、画像処理部２１が本画像のデータを生成する。この本画像のデータはＣＰＵ２５により記録媒体３１に記録される。なお、本画像の撮影処理の終了後、ＣＰＵ２５はスルー画像の撮影およびビュー画像の動画表示を再開してＳ１０２に戻る。
【００３２】
ステップ１１２：ＣＰＵ２５はレリーズ釦の半押しが解除されたか否かを判定する。レリーズ釦の半押しが解除された場合（ＹＥＳ側）には、ＣＰＵ２５はメインミラー１４ａを退避状態の位置に移動させた後、スルー画像の撮影およびビュー画像の動画表示を再開してＳ１０２に戻る。一方、レリーズ釦の半押しが継続している場合（ＮＯ側）には、ＣＰＵ２５はＳ１１０に戻って上記動作を繰り返す。
【００３３】
ステップ１１３：ＣＰＵ２５は、第１タイマのカウントが開始済みか否かを判定する。カウントが開始済みの場合（ＹＥＳ側）には、ＣＰＵ２５はＳ１１５に移行する。一方、カウントが開始されていない場合（ＮＯ側）には、ＣＰＵ２５はＳ１１４に移行する。
ステップ１１４：ＣＰＵ２５は、第１タイマのカウント値をリセットした後に第１タイマのカウントを開始する。
【００３４】
ステップ１１５：ＣＰＵ２５は、第１タイマのカウント値（電子カメラの静止状態の継続時間）が第１閾値を超えたか否かを判定する。第１タイマのカウント値が第１閾値を超えた場合（ＹＥＳ側）には、ＣＰＵ２５は第１タイマのカウントを終了するとともにＳ１１６に移行する。これにより、電子カメラが第１省電力モードに移行することとなる。一方、第１タイマのカウント値が第１閾値以下である場合（ＮＯ側）には、ＣＰＵ２５はＳ１０２に戻って上記動作を繰り返す。
【００３５】
ステップ１１６：ＣＰＵ２５は、撮像素子１７、アナログ信号処理部１８、ＴＧ１９、デジタル信号処理部２０および画像処理部２１への電力供給を停止する。
ステップ１１７：ＣＰＵ２５は、電力供給の停止前に撮影された最終フレームのビュー画像のデータをメモリ２２に記録する。そして、ＣＰＵ２５は、メモリ２２に記録されたビュー画像のデータをモニタ２７に継続的に表示出力する。これにより、第１省電力モードでのモニタ２７には、電力供給の停止直前に撮影されたビュー画像が表示され続ける。
【００３６】
ステップ１１８：ＣＰＵ２５は、メインミラー１４ａを観察状態の位置に移動させる。その後に、ＣＰＵ２５はＡＥセンサ１６を駆動させて被写体像の分割測光を開始する。
ステップ１１９：ＣＰＵ２５は、第２タイマのカウント値をリセットした後に第２タイマのカウントを開始する。なお、第１実施形態において上記のＳ１１６からＳ１１９までの処理はほぼ同時に行われる。
【００３７】
ステップ１２０：ＣＰＵ２５は、振動センサ２４が閾値以上の振動を検出したか否かを判定する。閾値以上の振動を検出した場合（ＹＥＳ側）には、ＣＰＵ２５はＳ１２８に移行する。一方、閾値以上の振動の検出がない場合（ＮＯ側）には、ＣＰＵ２５はＳ１２１に移行する。
ステップ１２１：ＣＰＵ２５は、ＡＥセンサ１６の分割測光結果に基づいて被写体に動きがあるか否かを判定する。例えば、ＡＥセンサ１６の分割領域のいずれかで閾値を超える平均輝度値の変化があった場合には、ＣＰＵ２５は被写体に動きがあるものと判定する。被写体に動きがある場合（ＹＥＳ側）には、ＣＰＵ２５はＳ１２８に移行する。一方、被写体に動きがない場合（ＮＯ側）には、ＣＰＵ２５はＳ１２２に移行する。
【００３８】
ステップ１２２：ＣＰＵ２５は、操作部２９に入力があるか否かを判定する。操作部２９に入力がある場合（ＹＥＳ側）には、ＣＰＵ２５はＳ１２８に移行する。一方、操作部２９に入力がない場合には、ＣＰＵ２５はＳ１２３に移行する。
ステップ１２３：ＣＰＵ２５は、第２タイマのカウント値（第１省電力モード移行後における電子カメラの静止状態の継続時間）が第２閾値を超えたか否かを判定する。第２タイマのカウント値が第２閾値を超えた場合（ＹＥＳ側）には、ＣＰＵ２５は第２タイマのカウントを終了するとともにＳ１２４に移行する。これにより、電子カメラが第２省電力モードに移行することとなる。一方、第２タイマのカウント値が第２閾値以下である場合（ＮＯ側）には、ＣＰＵ２５はＳ１２０に戻って上記動作を繰り返す。
【００３９】
ステップ１２４：ＣＰＵ２５は、メモリ２２に記録されたビュー画像の表示出力を終了する。
ステップ１２５：ＣＰＵ２５は、再起動に必要となるＣＰＵ２５の一部機能と振動センサ２４とを除いて、電子カメラ全体の電力供給を停止する。これにより、第２省電力モードでは、モニタ２７が消灯するとともに、ＡＥセンサ１６の駆動が停止する。
【００４０】
ステップ１２６：ＣＰＵ２５は、振動センサ２４が閾値以上の振動を検出したか否かを判定する。閾値以上の振動を検出した場合（ＹＥＳ側）には、ＣＰＵ２５はＳ１２８に移行する。一方、閾値以上の振動の検出がない場合（ＮＯ側）には、ＣＰＵ２５はＳ１２７に移行する。
ステップ１２７：ＣＰＵ２５は、操作部２９に入力があるか否かを判定する。操作部２９に入力がある場合（ＹＥＳ側）には、ＣＰＵ２５はＳ１２８に移行する。一方、操作部２９に入力がない場合には、ＣＰＵ２５はＳ１２６に戻って上記動作を繰り返す。
【００４１】
ステップ１２８：ＣＰＵ２５は、第１省電力モードまたは第２省電力モードへの移行によって電力供給が停止された部分に対して、再び電力供給を開始する。なお、第１省電力モードでＡＥセンサ１６が駆動している場合には、ＣＰＵ２５はＡＥセンサ１６の動作を停止させる。
ステップ１２９：ＣＰＵ２５はメインミラー１４ａを退避状態の位置に移動させる。そして、ＣＰＵ２５は、スルー画像の撮影およびビュー画像の動画表示を再開してＳ１０２に戻る。これにより、電子カメラが第１省電力モードまたは第２省電力モードから動画表示モードに復帰する。以上で、図２の説明を終了する。
【００４２】
以下、第１実施形態の効果を説明する。第１実施形態では、動画表示モードにおいて電子カメラの静止状態が一定時間継続するとＣＰＵ２５は第１省電力モードへ移行する。第１省電力モードでは撮像素子１７への電力供給が停止されるので、撮像素子１７の温度上昇や電池の消耗を抑制できる。また、第１省電力モードでのモニタ２７には最終フレームのビュー画像が継続的に表示されるので、静物撮影時の構図確認でユーザーが支障をきたすこともない。
【００４３】
また、第１実施形態では、電子カメラが三脚で支持されている場合に第１省電力モードに移行するので、カメラが手持ちされている状況では第１省電力モードの動作が行われることはない。また、第１省電力モードのオンオフおよび第１閾値の時間を操作部２９で変更できるので、第１省電力モードに関する制御にユーザーの意図を反映させることができる。
【００４４】
さらに第１実施形態では、第１省電力モードでさらに電子カメラの静止状態などが一定時間継続するとより電力消費の少ない第２省電力モードに移行するので、待機時における電池の消耗を抑制することができる。
（第２実施形態の説明）
図３は、第２実施形態の動画表示モードにおける電子カメラの動作を説明する流れ図である。ここで、第２実施形態における電子カメラの構成は、図１に示す第１実施形態の電子カメラと共通するので重複説明は省略する。また、図３のＳ２０４を除く各ステップは、図２において下二桁の番号が共通するステップにそれぞれ対応する。そのため、以下の説明では、図３のＳ２０４以外の各ステップに関する重複説明は省略する。
【００４５】
ステップ２０４：ＣＰＵ２５は、画像処理部２１がスルー画像の解析結果から電子カメラの動きを検出したか否かを判定する。画像処理部２１が電子カメラの動きを検出した場合（ＹＥＳ側）には、ＣＰＵ２５はＳ２０５に移行する。なお、この場合にはＣＰＵ２５は第１タイマのカウントを終了させる。一方、画像処理部２１が電子カメラの動きを検出しない場合（ＮＯ側）には、ＣＰＵ２５は電子カメラが静止状態にあると判定してＳ２１３に移行する。
【００４６】
上記の第２実施形態の電子カメラにおいても、第１実施形態とほぼ同様の効果を得ることができる。
（実施形態の補足事項）
（１）本発明の電子カメラは、上記実施形態で示した一眼レフレックス型の構成に限定されるものではない。例えば、いわゆるコンパクト型の電子カメラにも本発明を適用することができる。
【００４７】
（２）上記実施形態のＳ１０３では、三脚座やネジ穴等に設けた三脚検出スイッチ（不図示）の出力によって、ＣＰＵ２５は三脚で支持された状態か否かを判定してもよい。また、上記実施形態のＳ１０３では、メニュー画面等でのユーザーの入力に基づいて、ＣＰＵ２５は三脚で支持された状態か否かを判定してもよい。
（３）上記実施形態でビデオ出力Ｉ／Ｆ２８に画像表示装置が接続されている場合には、ＣＰＵ２５は、第１省電力モードにおいて画像表示装置へビュー画像を表示させるようにしてもよい。
【００４８】
（４）上記実施形態のＳ１２１では、ＡＦセンサ１５で取得した輝度値の変化に基づいて、ＣＰＵ２５は被写体の動きを検出してもよい。
なお、本発明は、その精神またはその主要な特徴から逸脱することなく他の様々な形で実施することができる。そのため、上述した実施形態はあらゆる点で単なる例示に過ぎず、限定的に解釈してはならない。本発明は、特許請求の範囲によって示されるものであって、本発明は明細書本文にはなんら拘束されない。さらに、特許請求の範囲の均等範囲に属する変形や変更は、全て本発明の範囲内である。
【図面の簡単な説明】
【００４９】
【図１】第１実施形態の電子カメラの構成を説明するブロック図
【図２】第１実施形態の動画表示モードにおける電子カメラの動作を説明する流れ図
【図３】第２実施形態の動画表示モードにおける電子カメラの動作を説明する流れ図
【符号の説明】
【００５０】
１５…ＡＦセンサ、１６…ＡＥセンサ、１７…撮像素子、２１…画像処理部、２４…振動センサ、２５…ＣＰＵ、２６…モニタ駆動部、２７…モニタ、２８…ビデオ出力Ｉ／Ｆ、２９…操作部
【図１】
2008167029.tif 000003
【図２】
2008167029.tif 000004
【図３】
2008167029.tif 000005